(57)【要約】      （修正有）【課題】ペットの居心地がよくまたこれを維持しやすく、かつ、メンテナンスの手間が少ないペット用クッションを提供する。【解決手段】中クッション部１００と、中クッション部を収容するクッション本体２００とを備えるペット用クッションＡであって、クッション本体は、底面シート部２１０と底面シート部の周縁部を一周してその内側に中クッション部が嵌る凹部を形成するよう土手状に配置されたクッション部２３０とを備える。中クッション部とクッション部は、それぞれ、ビーズ材と、ビーズ材を収納する伸縮性の中袋と、中袋を着脱自在にその内部に収容するクッションカバー１３０とを備え、クッションカバーは、中袋を着脱するための開閉自在のファスナ１４０，２４０を有し、中クッション部は、凹部の底に嵌るようにして収容されている。【選択図】図１
0003191888.tif 000002
【実用新案登録請求の範囲】
【請求項１】
中クッション部（１００、６００）と前記中クッション部を収容するクッション本体（２００、７００）とを備えるペット用クッション（Ａ、Ｂ）であって、
前記クッション本体（２００、７００）は、底面シート部（２１０、７１０）と前記底面シート部（２１０、７１０）の周縁部（２１２）を一周してその内側に前記中クッション部（１００、６００）が嵌る凹部（２１４、７１４）を形成するよう土手状に配置されたクッション部（２３０、７３０）とを備え、
前記中クッション部（１００、６００）と本体クッション部（２３０）は、それぞれ、ビーズ材と、前記ビーズ材を収納する伸縮性の中袋（１２０、６２０、２２０、７２０）と、前記中袋（１２０、６２０、２２０、７２０）を着脱自在にその内部に収容するクッションカバー（１３０、６３０、２３２）とを備え、前記クッションカバー（１３０、６３０、２３２）は、前記中袋（１２０、６２０、２２０、７２０）を着脱するための開閉自在の着脱開閉部（ファスナ）（１４０、６４０、２４０）を有し、
前記中クッション部（１００）は、前記凹部（２１４、７１４）の底に嵌るようにして収容されたペット用クッション（Ａ、Ｂ）。
【請求項２】
ビーズ材と、前記ビーズ材を収納する伸縮性の中袋（８２０、９２０）と、前記中袋（８２０、９２０）を着脱自在に収容するクッションカバー（８３０、９３０）とを備え、前記クッションカバー（８３０、８４０）は、前記中袋（８２０、９２０）を着脱するための開閉自在の着脱開閉部（ファスナ）（８４０，９４０）を有するペット用クッション（Ｃ、Ｄ）。
【請求項３】
前記中袋（１２０、６２０、２２０、７２０、８２０、９２０）は、その内部から外部に延びるように形成された袋状のビーズ材充填部（１２２、６２２、２２２、７２２，８２２，９２２）と前記ビーズ材充填部をその内部に格納するための前記ビーズ材充填部（１２２、６２２、２２２、７２２、８２２、９２２）を覆う開閉自在な第１の開閉部（ファスナ）（１２４、６２４、２２４、７２４、８２４，９２４）を備え、
前記ビーズ材充填部（１２２、６２２、２２２、７２２、８２２、９２２）は、前記ビーズ材を前記中袋に出し入れするための開閉自在な第２の開閉部（ファスナー）（１２６、６２６、２２６、７２６、８２６、９２６）を有する請求項１または２記載のペット用クッション。
【請求項４】
前記クッションカバー（１３０、６３０、２３２、８３０、８４０）は、表面側に撥水加工を施されるとともに裏面側に防水加工を施されている請求項１から３のいずれか１項に記載のペット用クッション。
【請求項５】
前記ビーズ材は、その粒径の平均値が０．５ｍｍ±２０％である請求項１から４のいずれか１項に記載のペット用クッション。
【請求項６】
前記中袋（１２０、６２０、２２０、７２０）は、前記ビーズ材が偏らないように適宜の箇所の向かい合う内壁の一部を接合させてキルティング仕様とした接合部（１２１、６２１）を有する請求項１、３、４または５のいずれか１項に記載のペット用クッション。
【請求項７】
前記クッションカバー（２３２）の前記着脱開閉部（２４０，６４０）は、前記中袋（２２０、７２０）を簡単に着脱できるように開閉するファスナで構成される請求項１または２に記載のペット用クッション。
【考案の詳細な説明】
【技術分野】
【０００１】
本考案はペット用クッションに関し、詳しくは、ビーズ材を緩衝材として用いたペット用クッションに関するものである。
【背景技術】
【０００２】
従来から、ペット用クッションは、衛生状態を良好にするため、内装クッションとこれを分離可能に載置した外装クッションからなるペット用クッションが知られている。
たとえば、内装部材と該内装部材を被覆する袋状の外装カバーとで接地面に接地可能に形成したクッションを備えたペット用クッションがある（特許文献１）。
【０００３】
しかしながら、このようなペット用クッションは緩衝材にウレタン部材を用いているため、ペットの体型や体重に合わせた良好なクッション性を維持することが難しかった。
また、このようなペット用クッションは、ペットが使用してもクッションに汚れが滲み通らないようにする必要があるが、クッション表面に防水加工を施すと、ごわごわしてペットにとってすわり心地が悪くなることがあった。
一方、近年のペットブームに伴い、ペットがより快適に過ごすことができ、また、メンテナンスの手間も少ないペット用クッションが求められるようになった。加えて、都市部ではペットを室内で飼うことが増え、ペット用のクッションを室内に置き、寝床とすることが多い。
【０００４】
このため、ペットにとって居心地がよく、また、居心地の良さを維持することが簡単でメンテナンスの手間が少ないペット用クッションが望まれていた。
【先行技術文献】
【特許文献】
【０００５】
【特許文献１】特開２００９−１８３１８０号公報
【考案の概要】
【考案が解決しようとする課題】
【０００６】
本考案は、ペットの居心地がよくまたこれを維持しやすいペット用クッションを提供する。
さらに、本考案は、飼い主のメンテナンスの手間が少ないペット用クッションを提供する。
【課題を解決するための手段】
【０００７】
以上の課題を解決するために、本考案に係るペット用クッションは、
中クッション部と、前記中クッション部を収容するクッション本体とを備えるペット用クッションであって、
前記クッション本体は、底面シート部と前記底面シート部の周縁部を一周してその内側に前記中クッション部が嵌る凹部を形成するよう土手状に配置された本体クッション部とを備え、
前記中クッション部と本体クッション部は、それぞれ、ビーズ材と、前記ビーズ材を収納する伸縮性の中袋と、前記中袋を着脱自在にその内部に収容するクッションカバーとを備え、前記クッションカバーは、前記中袋を着脱するための開閉自在の着脱開閉部を有し、
前記中クッション部は、前記凹部の底に嵌るようにして収容されたことを特徴とする。
【０００８】
また、本考案に係るペット用クッションは、
ビーズ材と、前記ビーズ材を収納する伸縮性の中袋と、前記中袋を着脱自在に収容するクッションカバーとを備え、前記クッションカバーは、前記中袋を着脱するための開閉自在の着脱開閉部を有することを特徴とする。
【０００９】
これらの場合に、前記中袋は、その内部から外部に延びるように形成された袋状のビーズ材充填部と前記ビーズ材充填部をその内部に格納するための前記ビーズ材充填部を覆う開閉自在な第１の開閉部を備え、
前記ビーズ材充填部は、前記ビーズ材を前記中袋に出し入れするための開閉自在な第２の開閉部を有することが好ましい。
【００１０】
また、前記クッションカバーは、表面側に撥水加工を施されるとともに裏面側に防水加工を施されていることが好ましい。
【００１１】
また、前記ビーズ材は、その粒径の平均値が０．５ｍｍ±２０％であることが好ましい。
【００１２】
また、前記中袋は、前記ビーズ材が偏らないように適宜の箇所の向かい合う内壁の一部を接合させてキルティング仕様とした接合部を有することが好ましい。
【００１３】
さらに、前記クッションカバーの前記着脱開閉部は、前記中袋を簡単に着脱できるように開閉するファスナで構成されることが好ましい。
【考案の効果】
【００１４】
本考案は、以上のように構成したので、ペットの居心地がよくまたこれを維持しやすいペット用クッションを提供することができる。また、メンテナンスの手間が少ないペット用クッションを提供することができる。
【図面の簡単な説明】
【００１５】
【図１】本考案に係るペット用クッションの実施形態の第1の例を示す斜視図である。（ａ）は斜視全体図、（ｂ）は中クッション部１００とクッション本体２００の組み付けを説明する斜視図である。あわせて図５の中クッション６００に収納される中袋６２０を示している。
【図２】図１の実施形態の第1の例の概略底面図である。
【図３】図１の中クッション部１００に収納される中袋１２０を示す模式図である。（ａ）は中袋の正面からの模式図であり、第１の開閉部１２４（６２４）が開となっており、開いている第１の開閉部１２４（６２４）からビーズ材充填部１２２（６２２）が中袋の外部に出ている様子を示す。（ｂ）はそのビーズ材充填部１２２（６２２）の拡大図である。ビーズ材充填部１２２（６２２）の第２の開閉部１２６（６２６）も開となった状態を示している。
【図４】図１のクッション本体２００に収納される中袋２２０を示す模式図である。あわせて、図5のクッション本体７００に収納される中袋７２０を示している。
【図５】本考案に係るペット用クッションの第２の例を示す模式図である。（ａ）は斜視全体図、（ｂ）は中クッション部６００とクッション本体７００の組み付けを説明する斜視図である。
【図６】本考案に係るペット用クッションの第３の例を示す模式図である。（ａ）は斜視全体図、（ｂ）は中袋８２０の斜視図である。
【図７】本考案に係るペット用クッションの第４の例を示す模式図である。（ａ）は斜視全体図、（ｂ）は中袋９２０の斜視図である。
【考案を実施するための形態】
【００１６】
以下、本考案の実施形態を図面に基づいて説明する。
（実施態様１）
図１は、本例のペット用クッションＡの斜視図を示す。図１（ａ）は、斜視全体図である。このペット用クッションＡは、中クッション部１００と、クッション本体２００とを備え、クッション本体２００の中央部に形成された凹部２１４に中クッション部１００が着脱できるよう分離可能に嵌め込まれている。ペット用クッションＡ全体として、ほぼ四角形状である。ペット（不図示）はこの中クッション部１００の上に乗ってくつろぐことになり、ペット用のベッドとしても使用できる。
【００１７】
（クッション本体）
図１（ｂ）は、中クッション部１００とクッション本体２００の組み付けを説明する斜視図である。より詳しく説明すると、クッション本体２００は、底面シート部２１０と底面シート部２１０の周縁部２１２を一周するよう土手状に配置された本体クッション部２３０とを備えている。
【００１８】
（底面シート部）
図２は、ペット用クッションＡの概略底面図を示している。底面シート部２１０は、本体クッション部２３０が底面シート部周縁部２１２を土手状に一周するように縫い付けられており、土手の内側には凹部２１４を形成している。底面シート部２１０は、共生地でできており、その内側は防水加工が施されている。
【００１９】
（本体クッション部）
本体クッション部２３０は、ビーズ材と、このビーズ材が充填される伸縮性の中袋２２０と、この中袋２２０を着脱自在に収容するクッションカバー２３２を備える。ビーズ材は、クッション性能を決める緩衝材となる。なお、後述の中クッション部１００と同様の構造になっている。
【００２０】
（ファスナ）
本体クッション部２３０には、その内部に収納される中袋２２０の着脱をするために、開閉部材としてファスナ２４０が底面シート部２１０の周縁２１２に沿って縫い付けられている。図２に示すように、中袋２２０の着脱が容易になるように、ファスナ２４０は、底面シート部２１０の四辺にそれぞれ開く開口が形成できるようにしている。
【００２１】
（全体）
本体クッション部２３０の内側に形成される凹部２１４に、中クッション部１００が底面シート部２１０の上に載置されて嵌りこみ、ペット用クッションＡが形成されている。図１（ｂ）に示すように、本体クッション部２３０は、紙面手前側の高さが低くなっており、ペットがペット用クッションＡに出入りがしやすくなるように形成されている。
【００２２】
（ビーズ材）
ビーズ材は、平均粒径が０．１０ｍｍから１．００ｍｍのものが好適に用いられる。好ましくは、平均粒径が０．５０ｍｍの球状の発泡ビーズ材である。平均粒径が０．１０ｍｍより小さいと、中袋２２０に入れたときに散逸しやすくなり、１．００ｍｍを超えると、粒子が粗くなりすわり心地に影響する。発泡倍率は、２０倍から４０倍が好ましい。
【００２３】
ビーズ材の材質は、ポリスチレンやポリエチレンなどのポリオレフィン系の材料を用いることができる。このような材質は、流動性がありかつ保温性にも優れている。なお、ビーズ材には、適宜添加材を加えることができ、たとえば、香りをつける香料や、遠赤外線を発する材料などを加えてもよい。
【００２４】
このようなビーズ材を使用することにより、流動性に富み、また断熱性があることから保温性もあり、さらに、ペットの体重がかかると適度に体圧が分散されてクッション性も良好である。
【００２５】
（中クッション部）
図１（ｂ）に示す中クッション部１００は、クッション本体２００とほぼ同様の構造および材質を有する。
すなわち、中クッション部１００は、ほぼ矩形の布地を２枚向い合せてその３辺が縫製され、残りの１辺に、中クッション部１００の内部に収納している中袋１２０を着脱するための着脱開閉部であるファスナ１４０を備えている。このため、中袋１２０は、このファスナ１４０の開閉により、簡単に中クッション部１００から着脱可能である。
【００２６】
（中クッション部の中袋）
図３は、中クッション部１００の中袋１２０の模式図である。中袋１２０は、２枚の編織した伸縮性のある布地が袋状に縫い付けられ、この内部にビーズ材が充填される。２枚の布地は部分的に互いに接合された接合部１２１が設けられており、充填されたビーズ材が過度に流動して偏在することを妨げて、クッション性を保持するようにしている（キルティング効果）。なお、袋状にした布地の周辺部は、ほつれを防止するために別布による補強を行ってもよい。
【００２７】
中袋１２０は、ビーズ材を収容し保持するため、中に充填されるビーズ材が織り目からこぼれない程度に密であればよい。一方、ビーズ材を充填する際に、加圧した空気とともに中袋１２０に吹き込む場合もあり、この加圧空気が抜ける程度に粗いことが望ましい。中袋１２０の材質は、伸縮性あるいは弾性を有するものが好ましく、たとえば、ポリウレタン糸などを用いて織ることができる。
【００２８】
（ビーズ材の充填）
ビーズ材を中袋１２０に充填するために、公知の充填装置を用いることができる。たとえば、ホッパーに貯蔵されたビーズ材を圧縮空気等とともに管内を移送する粒体移送システムなどを充填装置として用いることができる。ビーズ材は圧縮空気とともに中袋１２０に送り込まれる。この場合に、加圧空気が抜ける程度に粗く織られていれば、ビーズ材のみ中袋１２０に送り込むことができる。
【００２９】
（ビーズ材充填部）
中袋１２０には、ビーズ材が充填される際にビーズ材が中袋１２０から能率的に送り込まれかつクッションとして使用される際に邪魔にならないように、中袋１２０と同じ素材を用いたビーズ材充填部１２２が備えられている。ビーズ材は使用していると経年により弾力性が減少することがあるので、製造後も簡易な手段で適宜補給できると良好なクッション性を維持しやすい。
【００３０】
図３（ａ）は、ビーズ材充填部１２２の第１開閉部である第１ファスナ１２４が開となっており、その第１ファスナ１２４からビーズ材充填部１２２が中袋１２０の外部に引き出されて展開している様子を示している。図３（ｂ）はそのビーズ材充填部１２２の拡大図を示しており、ビーズ材充填部１２２の第２開閉部である第２ファスナ１２６も開となった状態を示している。
【００３１】
図３（ａ）および（ｂ）に示すように、ビーズ材充填部１２２は、中袋１２０から舌状に内部に引き出すことができる管状の充填部本体１２８と、クッションとして使用される際にこの充填部本体１２８を中袋１２０に格納しビーズ材を充填する際に中袋１２０から引き出して展開することができるように開閉する第１の開閉部であるファスナ１２４と、充填部本体１２８の先端側に設けられビーズ材を充填する際にビーズ材が通り抜けるように開き、充填が完了するとビーズ材が外にこぼれないように閉じることができる第２の開閉部である第２ファスナ１２６とが設けられている。このようなビーズ充填部１２２の特有な構造を、以降、「ダブルファスナ構造」という。
【００３２】
このようなダブルファスナ構造は、本考案で緩衝材として用いるビーズ材が果たすクッション性の使用後の調整において次のような点で有利である。
前述のように、中袋１２０は、中クッション部１００の内部に収納され、中クッション部１００は、着脱開閉部としてのファスナ１４０を有しているため、必要に応じて簡単に中袋１２０を中クッション部１００から取り出すことができる。取り出した中袋１２０は、このようなダブルファスナ構造を有しているため、ビーズ材を追加で充填する際は、第２ファスナ１２４を開き、充填部本体１２８を引き出した後、第１ファスナ１２６を開くと、ビーズ材の充填が容易に可能である。また、ビーズ材の充填のみでなく、このビーズ材充填部１２２からビーズ材を取り出して充填量を調整することもできる。
【００３３】
充填後は、第２ファスナ１２４を閉じ、充填部本体１２８を中袋１２０の内部に押し込んで格納し、第１ファスナ１２６を閉じれば、ビーズ材充填部１２２はクッションＡの使用の際にも邪魔にならない。このようにビーズ材の取り扱いが容易になる。
ビーズ材の充填量は、ペットの体重やクッションの効きなどを考慮して、適宜決定することができる。
【００３４】
（本体クッション部の中袋）
図４は、クッション本体２００の中袋２２０の模式図を示している。図４に示すようにビーズ材を詰めると円筒形になるような中袋２２０をクッション本体２００の４つの辺にあたる箇所にそれぞれ収納するとクッション本体２００の形状が維持しやすいので好適である。
【００３５】
中袋２２０は、中クッション部１００の中袋１２０と同様に、編織した伸縮性のある布地が袋状に縫い付けられ、この内部にビーズ材が充填される。クッション本体２００の中袋２２０は、接合部はなくても差し支えない。
また、中袋２２０は、中クッション部の中袋１２０と同様に、ビーズ材充填部２２２を有している。さらに、中袋２２０は、クッション本体２００の内部に収納され、クッション本体２００は、着脱開閉部としての着脱ファスナ２４０を有しているため、必要に応じて、簡単に中袋２２０をクッション本体２００から取り出すことができる。取り出した中袋２２０は、同様にダブルファスナ構造を有しているため、ビーズ材を追加で充填する際は、第２ファスナ２２４を開き、充填部本体２２８を引き出した後、第１ファスナ２２６を開くと、ビーズ材の充填が容易に可能である。充填後に、ビーズ材充填部２２２がクッションＡの使用の際にも邪魔にならないことも同様である。
【００３６】
（クッションカバー）
ビーズ材が充填された中袋１２０、２２０は、クッションカバー１３０、２３２に収納されて、中クッション部１００やクッション本体２００を形成する。このため、クッションカバー１３０、２３２と中袋１２０、２２０は、適宜分解取り外しができるので、別々に丸洗いすることができ、衛生的である。
クッションカバー１３０、２３２は、外側表面に撥水加工が施され、内側表面には防水加工が施される。このようにすると、次のような利点がある。仮にペットが粗相をしてペット用クッションを汚した場合でも、ペット用クッションＡの内部にしみこむことを防止できる。したがって、クッションカバー１３０、２３２を洗えば足り、内部の中袋１２０、２２０およびそれに充填されているビーズ材は洗う必要はない。これのみならず、クッションカバー１３０，２３２の外側を撥水加工することにとどめているため、ペットが接触する外側に関しては、通気性がある程度残り、軽微な濡れであれば拭き取れば足りる。外側に防水加工を施して繊維の目を塞ぐと、どうしても通気性が失われ、ごわごわしてペットに対する肌触りが悪くなるが、撥水加工では、通気性が残るので、布の風合いはほとんど変わることはなく、外側表面はペットに対し肌触りが変わらない。
【００３７】
このようなペット用クッションＡは、ペットの居心地もよく、また、中袋１２０、２２０の脱着ができるので、それぞれクッションカバー１３０，２３２や中袋１２０、２２０を別々に洗うことも可能であり、実用性が高く便利である。
加えて、クッションの緩衝材としてビーズ材を使用しているため、中袋１２０、２２０のビーズ材を入れたまま丸洗いすることもでき、ペットの居心地のよさも維持することが簡単で、飼い主のメンテナンスの手間が少なくなる。
【００３８】
（実施態様２）
図５は、本考案の別の態様のペット用クッションＢについて示している。図５（ａ）は斜視全体図、図５（ｂ）は中クッション部６００とクッション本体７００の組み付けを説明する斜視図である。
ペットクッションＡ（実施態様１）は、四角形状のクッション本体２００の土手状の一部分が低くなり、ペットの出入りがしやすい形状を有しているが、本態様（実施態様２）のペットクッションＢは、クッション本体７００の土手状の部分はほぼ同じ高さになっている。そのほかは、実施態様１と同様の構成であり、中クッション部６００がクッション本体７００の凹部７１４にはめ込まれ全体としてペット用クッションＢを構成している。
【００３９】
より詳細に説明すると、クッション本体７００は、底面シート部７１０と底面シート部７１０の周縁部を一周するよう土手状に配置された本体クッション部７３０とを備えている。
底面シート部７１０は、本体クッション部７３０が底面シート部７１０の周縁部を土手状に一周するように縫い付けられており、土手の内側には袋状の凹部７１４を形成している。底面シート部７１０は、共生地でできており、その内側は防水加工が施されている。
本体クッション部７３０は、ビーズ材と、このビーズ材が充填される伸縮性の中袋７２０（図４）と、この中袋７２０を着脱自在に収容するクッションカバー（不図示）を備える。本体クッション部７３０には、その内部に収納される中袋７２０の着脱をするために、開閉部材としてファスナ（不図示）が底面シート部７１０の周縁に沿って縫い付けられている。中袋７２０の着脱が容易になるように、ファスナは、底面シート部７１０の四辺にそれぞれ開く開口が形成できるようにしている。
【００４０】
（全体）
クッション部７３０の内側に形成される凹部７１４に、中クッション部６００が底面シート部７１０の上に載置されて嵌りこみ、ペット用クッションＢが形成されている。このペット用クッションＢも、ペットの居心地がよく、また、中袋６２０、７２０とクッション本体７００や中クッション部６００が脱着して分解できるので、それぞれクッションカバー６３０や中袋６２０、７２０が丸洗い可能な点は、クッションＡなどと同様である。
【００４１】
（実施態様３）
図６は、ペット用クッションＣを示す。こちらは、実施態様１および２と異なり、中クッション部とクッション本体に着脱して分離できる構成ではなく、より簡易な構成となっている。ペット用クッションＡ、Ｂの中クッション部１００、６００のみがフラットになったマット型のものといえよう。
【００４２】
図６（ａ）の斜視全体図に示すように、ペット用クッションＣは、一定の厚みを有する矩形のマット状のクッションカバー８３０とその内部に収容される中袋８２０を備えている。クッションカバー８３０は、内部に収納している中袋８２０を着脱するための着脱開閉部であるファスナ８４０をクッションカバー８３０の底部周縁に備えている。このため、中袋８２０は、このファスナ８４０の開閉により、クッションカバー８３０から脱着可能である。
【００４３】
図６（ｂ）に示すように、中袋８２０は、ほぼ矩形のマット状になるよう編織した伸縮性のある布地を袋状に縫い付け、この内部にビーズ材が充填されている。
また、中袋８２０は、ペットクッションＡ、Ｂと同様に、ダブルファスナ構造のビーズ材充填部８２２を有している。この中袋８２０は、クッションカバー８３０の内部に収納され、クッションカバー８３０は、着脱ファスナ８４０を有しているため、必要に応じて簡単に中袋８２０をクッションカバー８３０から取り出すことができる。取り出した中袋８２０は、このようなダブルファスナ構造を有するため、ビーズ材を追加で充填する際は、第２ファスナ８２４を開き、充填部本体８２８を引き出した後、第１ファスナ８２６を開くと、ビーズ材の充填が容易に可能である。充填後に、ビーズ材充填部８２２がクッションＣの使用の際にも邪魔にならないことも同様である。
【００４４】
（クッションカバー）
ビーズ材が充填された中袋８２０は、クッションカバー８３０に収納されて、ペット用クッションＣを形成する。このため、クッションカバー８３０と中袋８２０は、適宜分解取り外しができるので、別々に丸洗いすることができ、衛生的である。
クッションカバー８３０は、ペット用クッションＡ，Ｂと同様に、外側表面に撥水加工が施され、内側表面には防水加工が施される。このようにすることの利点も同様である。
【００４５】
このようなペット用クッションＣは、ペットの居心地もよく、また、中袋８２０の脱着ができるので、それぞれクッションカバー８３０や中袋８２０を別々に洗うことも可能であり、実用性が高く便利である。
加えて、クッションの緩衝材としてビーズ材を使用しているため、中袋８２０をビーズ材を入れたまま丸洗いすることもでき、ペットの居心地のよさも維持することが簡単で、飼い主のペット用クッションＣのメンテナンスの手間が少なくなる。
【００４６】
（実施態様４）
図７は、ペット用クッションＤを示す。こちらは、実施態様３と同様であり、実施態様３との違いは、前者が矩形の板状であるが、後者は円形の板状である点である。図７（ａ）は斜視全体図、（ｂ）は中袋９２０の斜視図である。
【００４７】
図７（ａ）に示すように、ペット用クッションＤは、一定の厚みを有する円形のマット状のクッションカバー９３０とその内部に収容される中袋９２０を備えている。クッションカバー９３０は、ペット用クッションＣと同様、内部に収納している中袋９２０を着脱するための着脱開閉部であるファスナ９４０をクッションカバー９３０の底部周縁に備えている。このため、中袋９２０は、このファスナ９４０の開閉により、クッションカバー９３０から脱着可能である。
【００４８】
図７（ｂ）に示すように、中袋９２０は、ほぼ円形のマット状になるよう編織した伸縮性のある布地を袋状に縫い付け、この内部にビーズ材が充填されている。
また、中袋９２０は、ペットクッションＣと同様に、ダブルファスナ構造のビーズ材充填部９２２を有している。この中袋９２０は、同様に、クッションカバー９３０の内部に収納され、クッションカバー９３０は、着脱ファスナ９４０を有しているため、必要に応じて簡単に中袋９２０をクッションカバー９３０から取り出すことができる。取り出した中袋９２０は、このようなダブルファスナ構造を有するため、ビーズ材を追加で充填する際は、第２ファスナ９２４を開き、充填部本体９２８を引き出した後、第１ファスナ９２６を開くと、ビーズ材の充填が容易に可能である。充填後に、ビーズ材充填部９２２がクッションＤの使用の際にも邪魔にならないことも同様である。
【００４９】
（クッションカバー）
ビーズ材が充填された中袋９２０は、クッションカバー９３０に収納されて、ペット用クッションＤを形成する。このため、クッションカバー９３０と中袋９２０は、適宜分解取り外しができるので、別々に丸洗いすることができ、衛生的である。
クッションカバー９３０は、ペット用クッションＣと同様、外側表面に撥水加工が施され、内側表面には防水加工が施される。この効果についても、ペット用クッションＣと同様である。
【００５０】
このようなペット用クッションＤは、ペットの居心地もよく、また、中袋９２０の脱着ができるので、それぞれクッションカバー９３０や中袋９２０を別々に洗うことも可能であり、実用性が高く便利である。
加えて、クッションの緩衝材としてビーズ材を使用しているため、中袋９２０をビーズ材を入れたまま丸洗いすることもでき、ペットの居心地のよさも維持することが簡単で、飼い主のペット用クッションＤのメンテナンスの手間が少なくなる。
【００５１】
以上、本考案の実施形態の例を図面に基づき説明したが、本考案はこれら実施形態例に限定されるものではなく、実用新案登録請求の範囲に記載された技術的思想の範疇において種々の変更が可能である。
【符号の説明】
【００５２】
Ａ：ペット用クッション
１００：中クッション部
１２０：中袋  １２１：接合部  １２２：ビーズ材充填部
１２４：第１の開閉部（第１ファスナ）
１２６：第２の開閉部（第２ファスナ）  １３０：クッションカバー  
１４０：着脱開閉部（ファスナ）
２００：クッション本体
２１０：底面シート部  ２１２：周縁部  ２１４：凹部  
２２０：中袋  ２２２：ビーズ材充填部
２２４：第１の開閉部（第１ファスナ）
２２６：第２の開閉部（第２ファスナ）  ２２８：充填部本体
２３０：本体クッション部  ２３２：クッションカバー
２４０：着脱開閉部（ファスナ）
Ｂ：ペット用クッション
６００：中クッション部
６２０：中袋  ６２１：接合部  ６２２：ビーズ材充填部
６２４：第１の開閉部（第１ファスナ）
６２６：第２の開閉部（第２ファスナ）
６３０：クッションカバー  
６４０：着脱開閉部（ファスナ）  
７００：クッション本体
７１０:底面シート部  ７１４：凹部
７２０：中袋  ７２２：ビーズ材充填部
７２４：第１の開閉部（第１ファスナ）
７２６：第２の開閉部（第２ファスナ）  
７３０：本体クッション部
Ｃ：ペット用クッション
８００：クッション本体
８２０：中袋  ８２２：ビーズ材充填部
８２４：第１の開閉部（第１ファスナ）
８２６：第２の開閉部（第２ファスナ）
８３０：クッションカバー
８４０：着脱開閉部（ファスナ）
Ｄ：ペット用クッション
９００：クッション本体
９２０：中袋  ９２２：ビーズ材充填部
９２４：第１の開閉部（第１ファスナ）
９２６：第２の開閉部（第２ファスナ）
９３０：クッションカバー
９４０：着脱開閉部（ファスナ）
【図１】
0003191888.tif 000003
【図２】
0003191888.tif 000004
【図３】
0003191888.tif 000005
【図４】
0003191888.tif 000006
【図５】
0003191888.tif 000007
【図６】
0003191888.tif 000008
【図７】
0003191888.tif 000009